(57)【要約】【課題】点灯装置を容易に交換でき且つ大きさの異なる点灯装置に交換しても確実に照明器具に取り付けることのできる照明器具における点灯装置取付構造および照明器具を提供する。【解決手段】器具本体１１に設けられたベースプレート１３に少なくとも２個の貫通穴１３ａを設け、この貫通穴１３ａに挿通させた紐状部材１６により、蛍光ランプ１５を点灯させるための点灯装置２０を縛って取り付けるようにしたので、大きさの異なる点灯装置２０に交換しても、点灯装置２０を確実にベースプレート１３に取り付けることができる。また、紐状部材１６を緩めることにより、点灯装置２０を取り外すことができるので、点灯装置２０を容易に交換することができる。【選択図】図３
2010073612.tif 000002
【特許請求の範囲】
【請求項１】
光源と、前記光源を収容する器具本体と、前記光源を点灯させる点灯装置と、前記器具本体に設けられ前記点灯装置を取り付けるベースプレートと、を備えた照明器具であって、
前記ベースプレートに少なくとも２個の貫通穴を設けるとともに該貫通穴に挿通可能な紐状部材を有し、
前記紐状部材を前記貫通穴に挿通させて、前記点灯装置を前記紐状部材により縛って前記ベースプレートに固定することを特徴とする照明器具における点灯装置取付構造。
【請求項２】
前記貫通穴は、前記点灯装置の取付スペースと重ならない位置において前記点灯装置の長手方向に対して直交する方向に設けられていることを特徴とする請求項１記載の照明器具における点灯装置取付構造。
【請求項３】
前記紐状部材は、結束バンドであることを特徴とする請求項１または２記載の照明器具における点灯装置取付構造。
【請求項４】
前記結束バンドは、再使用可能なものであることを特徴とする請求項１または２に記載の照明器具における点灯装置取付構造。
【請求項５】
前記点灯装置には、前記ベースプレートに対する非接触側でかつ前記点灯装置の長手方向に対して垂直方向に溝が形成されており、前記溝の延長線上に前記貫通穴が位置するように配置可能であることを特徴とする請求項１〜３のいずれかに記載の照明器具における点灯装置取付構造。
【請求項６】
前記貫通穴は、前記点灯装置の取付スペースと重なる位置において前記点灯装置の長手方向に対して直交する方向に設けられていることを特徴とする請求項１，３，４のいずれかに記載の照明器具における点灯装置取付構造。
【請求項７】
前記貫通穴の間隔は約２０ｍｍであることを特徴とする請求項６に記載の照明器具における点灯装置取付構造。
【請求項８】
前記点灯装置には、前記ベースプレートに対する接触面でかつ前記点灯装置の長手方向に対して垂直方向に溝が形成されており、前記溝の延長線上に前記貫通穴が位置するように配置可能であることを特徴とする請求項６または７に記載の照明器具における点灯装置取付構造。
【請求項９】
前記点灯装置は、非長手方向の断面において前記ベースプレートに対する非接触側の少なくとも１つの角の角度が略９０°であることを特徴とする請求項１〜８に記載の照明器具における点灯装置取付構造。
【請求項１０】
請求項１〜１０のいずれかに記載の照明器具における点灯装置取付構造を用いたことを特徴とする照明器具。
【発明の詳細な説明】
【技術分野】
【０００１】
本発明は、光源を点灯させる点灯装置を照明器具に取り付ける照明器具における点灯装置取付構造およびこの点灯装置取付構造を用いた照明器具に関するものである。
【背景技術】
【０００２】
近年、蛍光等照明器具(以後、「照明器具」という。)のリニューアルにおいて、低コストで省エネ化の観点から、照明器具ごと全部を交換するのではなく、安定器のみを交換することが多くなってきた。すなわち、照明器具は、主に金属やプラスチックからなる器具本体、安定器、ソケット、蛍光ランプから構成されており、照明器具全体を交換すると、コストが大きくなるとともに、廃棄物が多く生じるので、好ましくない。
【０００３】
照明器具において寿命が短いのは、蛍光ランプであるが、蛍光ランプは交換が容易なので問題はない。次に寿命が短いのが、安定器である。従来の安定器は銅鉄式であり、使用期間が長くなると、消費電力が増加する傾向がある。そこで、消費電力が少ないインバータ式(電子式)が主流になり、インバータの回路効率の改善により一層の省エネ化が図られる。また、インバータを用いている照明器具においても、インバータの寿命により照明器具の寿命に達した場合には、安定器のみの交換により、低コストで照明器具のリニューアルが可能である。
【０００４】
このため、従来、点灯装置を取り付けていたねじ止めに代わって、容易に交換できるような点灯装置取付構造が提案されている（例えば特許文献１、２参照）。
特許文献１に記載の点灯装置取付構造では、安定器のケースに半円形状の切欠き孔を形成し、照明器具のベースプレートに設けられている切起し片を挿通した後、切起こし片を折り曲げて安定器を取り付けている。従って、切起し片を起こすことにより、容易に安定器を取り外すことができる。
【０００５】
また、特許文献２に記載の点灯装置取付構造では、照明器具の天板と対面する点灯装置の取付面の長手方向両端部を張り出して、この張り出し部分に磁石等の吸着部材を設けた。そして、磁石の磁力により天板を吸着して、点灯装置を取り付ける。このため、非常に容易に交換することができる。
【特許文献１】特開２０００−２２２９３２号公報
【特許文献２】特開２００１−３０７５４３号公報
【発明の開示】
【発明が解決しようとする課題】
【０００６】
ところで、インバータ式安定器は、電子部品の高性能化とともに、省エネ性能の追求、コストの削減、器具形状の自由化等の観点から、年々小型化される傾向にある。このため、既設の安定器と新しい安定器とで、サイズが異なることが考えられる。前述した特許文献１に記載の点灯装置取付構造においては、安定器の大きさが変わると、照明器具のベースプレートに設けられている切起しを使うことができず、サイズの変化に対応できないという問題がある。
【０００７】
一方、特許文献２に記載の点灯装置取付構造においては、磁石等の吸着部材により安定器をベースプレートに取り付けているため、サイズの変化には対応できるが、安定器の取付けの確実性にかけるという問題がある。
【０００８】
本発明は、従来の問題を解決するためになされたもので、点灯装置を容易に交換でき且つ大きさの異なる点灯装置に交換しても確実に照明器具に取り付けることのできる照明器具における点灯装置取付構造および照明器具を提供することを目的とする。
【課題を解決するための手段】
【０００９】
本発明の照明器具における点灯装置取付構造は、光源と、前記光源を収容する器具本体と、前記光源を点灯させる点灯装置と、前記器具本体に設けられ前記点灯装置を取り付けるベースプレートと、を備えた照明器具であって、前記ベースプレートに少なくとも２個の貫通穴を設けるとともに該貫通穴に挿通可能な紐状部材を有し、前記紐状部材を前記貫通穴に挿通させて、前記点灯装置を前記紐状部材により縛って前記ベースプレートに固定する構成を有している。
【００１０】
この構成により、器具本体に設けられたベースプレートに少なくとも２個の貫通穴を設け、この貫通穴に挿通させた紐状部材により、蛍光ランプを点灯させるための点灯装置を縛って取り付けるようにしたので、大きさの異なる点灯装置に交換しても、点灯装置を確実にベースプレートに取り付けることができる。また、紐状部材を緩めることにより、点灯装置を取り外すことができるので、点灯装置を容易に交換することができる。
【００１１】
また、本発明の照明器具における点灯装置取付構造は、前記貫通穴は、前記点灯装置の取付スペースと重ならない位置において前記点灯装置の長手方向に対して直交する方向に設けられた構成を有している。
【００１２】
この構成により、ベースプレートに設ける貫通穴を、点灯装置の取付けスペースと重ならない位置で、点灯装置の長手方向に対して直交する方向に設けたので、紐状部材により点灯装置を固定した際に、紐状部材が点灯装置に下側に来ることがないので、しっかりと点灯装置を取り付けることができる。
【００１３】
また、本発明の照明器具における点灯装置取付構造は、前記紐状部材は、結束バンドである構成を有している。
【００１４】
この構成により、紐状部材として結束バンドを用いて点灯装置をベースプレートに取り付けるので、容易に固定することができる。
【００１５】
また、本発明の照明器具における点灯装置取付構造は、前記結束バンドは、再使用可能なものである構成を有している。
【００１６】
この構成により、紐状部材として再使用可能な結束バンドを用いて点灯装置をベースプレートに取り付けるので、点灯装置を交換した後も、同じ結束バンドで点灯装置を固定することができ、コストダウンを図るとともに、資源の有効利用を図ることができる。
【００１７】
また、本発明の照明器具における点灯装置取付構造は、前記点灯装置には、前記ベースプレートに対する非接触側でかつ前記点灯装置の長手方向に対して垂直方向に溝が形成されており、前記溝の延長線上に前記貫通穴が位置するように配置可能である構成を有している。
【００１８】
この構成により、点灯装置におけるベースプレートと非接触側に溝を形成し、この溝の延長線上に貫通穴が位置するようにしたので、貫通穴に挿通された紐状部材が点灯装置の溝に嵌る。このため、振動等により点灯装置がずれるのを防止することができ、確実に取り付けることができる。
【００１９】
また、本発明の照明器具における点灯装置取付構造は、前記貫通穴は、前記点灯装置の取付スペースと重なる位置において前記点灯装置の長手方向に対して直交する方向に設けられた構成を有している。
【００２０】
この構成により、貫通穴が点灯装置の取付けスペースと重なる位置に設けられているので、貫通穴の間隔が短く、紐状部材を容易に挿通させることができる。
【００２１】
また、本発明の照明器具における点灯装置取付構造は、前記貫通穴の間隔は約２０ｍｍである構成を有している。
【００２２】
この構成により、貫通穴の間隔が約２０ｍｍであり、貫通穴の間隔が短いので、紐状部材を容易に挿通させることができる。
【００２３】
また、本発明の照明器具における点灯装置取付構造は、前記点灯装置には、前記ベースプレートに対する接触面でかつ前記点灯装置の長手方向に対して垂直方向に溝が形成されており、前記溝の延長線上に前記貫通穴が位置するように配置可能である構成を有している。
【００２４】
この構成により、点灯装置に設ける溝をベースプレートとの接触面に設けたので、非接触側に設ける銘板表示が見難くなったり、銘板紙の貼付状態が悪くなるのを防止することができる。
【００２５】
また、本発明の照明器具における点灯装置取付構造は、前記点灯装置は、非長手方向の断面において前記ベースプレートに対する非接触側の少なくとも１つの角の角度が略９０°である構成を有している。
【００２６】
この構成により、紐状部材で点灯装置を縛る際に、テンションがかかりやすくなり、確実に点灯装置を取り付けることができる。
【００２７】
さらに、本発明の照明器具は、前述した照明器具における点灯装置取付構造を用いた構成を有している。
【００２８】
この構成により、大きさの異なる点灯装置に交換しても、点灯装置を確実にベースプレートに取り付けることができる。また、紐状部材を緩めることにより、点灯装置を取り外すことができるので、点灯装置を容易に交換することができる。
【発明の効果】
【００２９】
本発明は、器具本体に設けられたベースプレートに少なくとも２個の貫通穴を設け、この貫通穴に挿通させた紐状部材により、蛍光ランプを点灯させるための点灯装置を縛って取り付けるようにしたので、大きさの異なる点灯装置に交換しても、点灯装置を確実にベースプレートに取り付けることができる。また、紐状部材を緩めることにより、点灯装置を取り外すことができるので、点灯装置を容易に交換することができるという効果を有する照明器具における点灯装置取付構造を提供することができるものである。
【発明を実施するための最良の形態】
【００３０】
以下、本発明の実施の形態の照明器具における点灯装置取付構造および照明器具について、図面を用いて説明する。
(第１実施形態)
図１は本発明の第１実施形態にかかる照明器具の斜視図、図２は照明器具における点灯装置取付構造を示す斜視図、図３（Ａ）はベースプレートに安定器を取り付けた状態を示す斜視図、図３（Ｂ）は（Ａ）中Ｂ−Ｂ位置の断面図、図４（Ａ）は結束バンドの平面図、図４（Ｂ）は結束バンドの側面図、図４（Ｃ）は結束バンドを結束した状態を示す斜視図、図５（Ａ）は安定器の平面図、図５（Ｂ）は安定器の側面図、図６は溝の配置の別の例を示す安定器の平面図、図７は溝の配置のさらに別の例を示す安定器の平面図である。
【００３１】
図１に示すように、本発明にかかる照明器具１０は、例えば矩形箱状の器具本体１１と、器具本体１１の前面開口を覆う透明あるいは半透明の樹脂等からなるパネル１２を有しており、器具本体１１の天板であるベースプレート１３には、一端側に商用交流電源（図示省略）に接続されている点灯装置である安定器２０が取付けられている。また、ベースプレート１３の他端側には、一対のソケット１４が取り付けられており、このソケット１４に光源である蛍光ランプ１５が交換可能に取り付けられる。なお、ここでは螺旋形状の蛍光ランプ１５を例示したが、円形や直線状の蛍光ランプを用いる場合でもまったく同様である。
【００３２】
図２に示すように、本発明にかかる照明器具１０における安定器２０の取付構造は、ベースプレート１３に少なくとも２個(ここでは２個)の貫通穴１３ａ、１３ａを設けるとともに、この貫通穴１３ａ、１３ａに紐状部材１６を通している。すなわち、一方の貫通穴１３ａでは紐状部材１６をベースプレート１３の上側から下側へ挿通させ、ベースプレート１３の下面に沿って他方の貫通穴１３ａに達して、ベースプレート１３の下側から上側へ挿通させている。そして、図３(Ａ)に示すように、安定器２０の上において紐状部材１６の両端を結束し、安定器２０をベースプレート１３に固定する。
【００３３】
図３(Ｂ)に示すように、２個の貫通穴１３ａ、１３ａは、ベースプレート１３の上面において安定器２０の取付スペース１３ｂと重ならない位置において安定器２０の長手方向に対して直交する方向（短手方向）に設けられている。例えば、安定器２０の短手方向幅をＬ１とし、貫通穴１３ａ、１３ａの間隔をＬ２とすると、Ｌ１＜Ｌ２となる。
これにより、新たに取り付ける安定器２０の幅が、既設の安定器の幅と異なる場合でも、容易に取り付けることができる。
【００３４】
ここでは、紐状部材１６として結束バンド１６Ａを用いた場合について示してある。図４（Ａ）に示すように、結束バンド１６Ａは、一端に逆戻りを防止するロック部１６ａを有しており、先端１６ｂは先細り形状となっている。途中部分１６ｃには多数の凹凸が設けられている。
【００３５】
図４（Ｃ）に示すように、先端１６ｂをロック部１６ａの挿通孔１６ｄに挿通させると、途中部分１６ｃの凹凸が挿通孔１６ｄの突起１６ｅに係止されて、逆戻りを防止する。従って、結束バンド１６Ａを用いることにより、先端１６ｂをロック部１６ａに設けられている挿通孔１６ｄに通して引き出すだけで締め付けることができるので、安定器２０を容易に締め付けることができる。なお、結束バンド１６Ａとして再使用可能なものを用いることにより、コストダウンを図るとともに、ごみを減らして資源の有効利用を図ることができる。
【００３６】
図５（Ａ）、（Ｂ）に示すように、安定器２０は、プリント基板ユニット（図示省略）を金属ケース２１に収納したものである。ケース２１は、本体２２と蓋部２３から構成されている。蓋部２３は、水平な上面２３ａと、上面２３ａの両側から下向きに傾斜する斜面２３ｂ、２３ｂから、台形に形成されている。
【００３７】
安定器２０には、ベースプレート１３に対する非接触側（すなわち下面以外）に、溝２４が形成されている。溝２４は、ケース２１の蓋部２３の上面２３ａおよび斜面２３ｂにおいて、安定器２０の長手方向に対して垂直方向（すなわち、短手方向）に形成されており、溝２４の延長線上に貫通穴１３ａが位置するように配置可能である。溝２４の断面形状は、平坦な凹部でよいが、結束バンド１６Ａの幅が小さい場合には、Ｖ字形状とすることも可能である。
【００３８】
従って、結束バンド１６Ａによって安定器２０を固定する際に、ベースプレート１３の貫通穴１３ａ、１３ａを結ぶ線上に溝２４を配置することにより、貫通穴１３ａに挿通された結束バンド１６Ａが安定器２０の溝２４に嵌るので、振動等により安定器２０がずれるのを防止することができ、確実に取り付けることができる。
【００３９】
なお、図６に示すように、溝２４をケース２１の上面２３ａと斜面２３ｂとの境界線である角２３ｃのみに設けることもできる。この場合には、前述した場合と同様の作用・効果を得ることができるとともに、溝２４の形成が容易になる。
あるいは、図７に示すように、溝２４を２箇所以上（ここでは２箇所）に設けることもできる。この場合には、ベースプレート１３に設ける貫通穴１３ａが４個必要となる。これにより、安定器２０をより確実に固定することができる。
【００４０】
以上、説明した本発明の第１実施形態にかかる照明器具における点灯装置取付構造および照明器具によれば、器具本体１１に設けられたベースプレート１３に少なくとも２個の貫通穴１３ａを設け、この貫通穴１３ａに挿通させた結束バンド１６Ａにより、蛍光ランプ１５を点灯させるための安定器２０を縛って取り付けるようにしたので、大きさの異なる安定器２０に交換しても、安定器２０を確実にベースプレート１３に取り付けることができる。また、結束バンド１６Ａを緩めることにより、安定器２０を取り外すことができるので、安定器２０を容易に交換することができる。
【００４１】
(第２実施形態)
次に、本発明の第２実施形態にかかる照明器具における点灯装置取付構造および照明器具を説明する。
図８は紐状部材としてのホースバンドの正面図である。なお、前述した第１実施形態にかかる照明器具における点灯装置取付構造および照明器具と共通する部位には同じ符号を付して、重複する説明を省略することとする。
【００４２】
図８に示すように、ホースバンド１６Ｂは、一端につまみ１６ｅを回転自在に有するねじ送り部１６ｆを有しており、途中部１６ｇにはねじ送り部１６ｆに螺合する凹凸部が形成されている。
【００４３】
これにより、先端１６ｈをねじ送り部１６ｆに挿通させ、つまみ１６ｅを回転させることにより途中部１６ｇを移動させることができるので、容易かつ確実に安定器２０を固定することができる。また、つまみ１６ｅを逆向きに回転させることにより、ホースバンド１６Ｂを緩めることができるので、安定器２０を容易に交換することができる。
【００４４】
(第３実施形態)
次に、本発明の第３実施形態にかかる照明器具における点灯装置取付構造および照明器具を説明する。
図９は安定器の下面を示す底面図、図１０は図９中Ｘ−Ｘ位置の断面図である。なお、前述した第１または第２実施形態にかかる照明器具における点灯装置取付構造および照明器具と共通する部位には同じ符号を付して、重複する説明を省略することとする。
【００４５】
図９に示すように、本発明の第３実施形態にかかる照明器具における点灯装置取付構造および照明器具では、ベースプレート１３に設ける貫通穴１３ａを、安定器２０の取付スペースと重なる位置において安定器２０の長手方向に対して直交する方向に設けた。すなわち、図１０に示すように、安定器２０の幅をＬ１とし、貫通穴１３ａの間隔をＬ２とすると、Ｌ１＞Ｌ２となる。また、安定器２０のケース２１に設ける溝２４を、ベースプレート１３に対する接触面（すなわち、本体２２の下面２２ａ）でかつ安定器２の長手方向に対して垂直方向（すなわち、短手方向）に形成した。
【００４６】
これにより、貫通穴１３ａが安定器２０の取付けスペースと重なる位置に設けられているので、貫通穴１３ａの間隔Ｌ２が短く、紐状部材１６を容易に挿通させることができ、紐状部材１６の交換も容易になる。また、溝２４を安定器２０の本体２２下面２２ａに設けたので、蓋部２３に設ける銘板等の表示を、溝２４で隠したり、貼り付け状態が悪くなるのを回避することができる。例えば、安定器２０の幅をＬ１＝４０ｍｍ程度とすると、貫通穴１３ａの間隔をＬ２＝２０ｍｍ程度にするのが望ましい。
【００４７】
なお、安定器２０を紐状部材１６で固定する際には、貫通穴１３ａが溝２４に対向するように安定器２０の位置決めをする。
【００４８】
(第４実施形態)
次に、本発明の第４実施形態にかかる照明器具における点灯装置取付構造および照明器具を説明する。
図１１は安定器の断面図、図１２（Ａ）は変形例を示す安定器の平面図、図１２（Ｂ）は（Ａ）中Ｂ−Ｂ位置の断面図である。なお、前述した第１〜第３実施形態にかかる照明器具における点灯装置取付構造および照明器具と共通する部位には同じ符号を付して、重複する説明を省略することとする。
【００４９】
図１１に示すように、ベースプレート１３に対する非接触側である安定器２０の蓋部２３の角２３ｃを１箇所略９０°とした。
これにより、安定器２０を紐状部材１６で固定する際に、テンションがかけやすく、縛りやすくなるので、より確実に安定器２０を取り付けることができる。
【００５０】
また、図１２（Ａ）、（Ｂ）に示すように、スリット２４を山形形状に設け、その頂部２４ａの角度を略９０°とすることも可能である。このようにしても、図１１で示した場合と同様の作用・効果を得ることができる。
【００５１】
なお、本発明の照明器具における点灯装置取付構造は、前述した各実施形態に限定されるものでなく、適宜な変形，改良等が可能である。
例えば、前述した各実施形態においては、点灯装置として安定器２０を例示したが、その他、ＬＥＤを光源とする電源ブロック等にも適用可能である。
【図面の簡単な説明】
【００５２】
【図１】本発明の第１実施形態にかかる照明器具の斜視図
【図２】照明器具における点灯装置取付構造を示す斜視図
【図３】（Ａ）はベースプレートに安定器を取り付けた状態を示す斜視図、（Ｂ）は（Ａ）中Ｂ−Ｂ位置の断面図
【図４】（Ａ）は結束バンドの平面図、（Ｂ）は結束バンドの側面図、（Ｃ）は結束バンドを結束した状態を示す斜視図
【図５】（Ａ）は安定器の平面図、（Ｂ）は安定器の側面図
【図６】溝の配置の別の例を示す安定器の平面図
【図７】溝の配置のさらに別の例を示す安定器の平面図
【図８】紐状部材としてのホースバンドの正面図
【図９】安定器の下面を示す底面図
【図１０】図９中Ｘ−Ｘ位置の断面図
【図１１】安定器の断面図
【図１２】（Ａ）は変形例を示す安定器の平面図、（Ｂ）は（Ａ）中Ｂ−Ｂ位置の断面図
【符号の説明】
【００５３】
１０  照明器具
１１  器具本体
１３  ベースプレート
１３ａ、１３ａ  貫通穴
１５  蛍光ランプ（光源）
１６  紐状部材
１６Ａ  結束バンド（紐状部材）
２０  安定器（点灯装置）
２３ｃ  角
２４  溝
【図１】
2010073612.tif 000003
【図２】
2010073612.tif 000004
【図３】
2010073612.tif 000005
【図４】
2010073612.tif 000006
【図５】
2010073612.tif 000007
【図６】
2010073612.tif 000008
【図７】
2010073612.tif 000009
【図８】
2010073612.tif 000010
【図９】
2010073612.tif 000011
【図１０】
2010073612.tif 000012
【図１１】
2010073612.tif 000013
【図１２】
2010073612.tif 000014